(57)【要約】【課題】電池性能を維持しつつ、取っ手の収納機能を付加する。【解決手段】一対の電極部材３０Ｐ、３０Ｎと、前記一対の電極部材３０Ｐ、３０Ｎを収容する電槽２０と、前記一対の電極部材３０Ｐ、３０Ｎに対して接続される一対の端子部６０Ｐ、６０Ｎを有し、前記電槽２０を封口する蓋部材５０と、紐状の取っ手１００と、を備え、前記蓋部材５０は、前記一対の端子部６０Ｐ、６０Ｎ間に設けられ、前記端子部６０Ｐ、６０Ｎよりも高さ方向で突出する第１突出部７０を有し、前記第１突出部７０の内部に、前記取っ手１００を収納する収納部７８を形成した。【選択図】図５
2015220202.tif 000002
【特許請求の範囲】
【請求項１】
一対の電極部材と、
前記一対の電極部材を収容する電槽と、
前記一対の電極部材に対して接続される一対の端子部を有し、前記電槽を封口する蓋部材と、
紐状の取っ手と、を備え、
前記蓋部材は、前記一対の端子部間に設けられ、前記端子部よりも高さ方向で突出する第１突出部を有し、
前記第１突出部の内部に、前記取っ手を収納する収納部を形成した蓄電デバイス。
【請求項２】
請求項１に記載の蓄電デバイスであって、
前記第１突出部は、前記高さ方向に加えて、前記一対の端子部の並び方向に直交する方向でも、前記端子部より突出する蓄電デバイス。
【請求項３】
請求項１又は請求項２に記載の蓄電デバイスであって、
前記蓋部材は、前記電極部材の収容空間と前記取っ手の前記収納部とを仕切る仕切壁を有する蓄電デバイス。
【請求項４】
請求項１ないし請求項３のいずれか一項に記載の蓄電デバイスであって、
前記収納部内には、前記取っ手の一端が固定され、前記取っ手を巻き取り可能な巻き取り軸が設けられている蓄電デバイス。
【請求項５】
請求項４に記載の蓄電デバイスであって、
前記蓋部材は、前記第１突出部と同じ高さの上面を有し、前記取っ手の他端が固定された第２突出部をさらに備え、
前記第１及び前記第２突出部の上面には、前記取っ手がそれぞれ引き出された第１及び第２挿通孔と、前記第１挿通孔から前記第２挿通孔まで延在する溝が形成されている蓄電デバイス。
【請求項６】
請求項５に記載の蓄電デバイスであって、
前記第１挿通孔及び前記第２挿通孔は、前記一対の端子部の並び方向と交差する方向に沿って配置されている蓄電デバイス。
【発明の詳細な説明】
【技術分野】
【０００１】
本発明は、取っ手の収納構造に関する。
【背景技術】
【０００２】
蓄電池などの蓄電デバイスには、運搬用の取っ手を設ける場合がある。特に、鉛蓄電池は、重量物であることから、取っ手を設ける傾向が顕著である。例えば、下記特許文献１に記載の蓄電池では、合成樹脂材からなる板形状の取っ手が設けられており、蓋部材の上面に形成した凹部内に収納可能に配置されている。
【先行技術文献】
【特許文献】
【０００３】
【特許文献１】特開平１０−４０８９５号公報
【発明の概要】
【発明が解決しようとする課題】
【０００４】
ところで、鉛蓄電池の外形は、規格等により形状が決められている場合もあることから、鉛蓄電池の外形を変更して、取っ手を収納する収納部を新たに設けることが難しい場合がある。一方、鉛蓄電池の内部に収納部を設けようとすると、極板等の電極部材を小さくするなど電池性能に影響を与えてしまう場合がある。例えば、特許文献１では、取っ手の収納空間を確保するために、蓋部材が厚くなってしまうので、極板の収容空間がその分だけ小さくなり、電池性能に影響を与えることになる。
本発明は上記のような事情に基づいて完成されたものであって、電池性能を維持しつつ、取っ手の収納機能を付加することを目的とする。
【課題を解決するための手段】
【０００５】
本明細書によって開示される蓄電デバイスは、一対の電極部材と、前記一対の電極部材を収容する電槽と、前記一対の電極部材に対して接続される一対の端子部を有し、前記電槽を封口する蓋部材と、紐状の取っ手と、を備え、前記蓋部材は、前記一対の端子部間に設けられ、前記端子部よりも高さ方向で突出する第１突出部を有し、前記第１突出部の内部に、前記取っ手を収納する収納部を形成した。
【発明の効果】
【０００６】
本明細書によって開示される蓄電デバイスによれば、第１突出部の内部に取っ手を収納する収納部を形成している。そのため、電池性能を維持しつつ、取っ手の収納機能を付加することが出来る。
【図面の簡単な説明】
【０００７】
【図１】本発明の実施形態１に係る鉛蓄電池の斜視図
【図２】鉛蓄電池の正面図
【図３】電槽の平面図
【図４】鉛蓄電池の垂直断面図（図１中のＡ−Ａ線断面図）
【図５】鉛蓄電池の斜視図（カバーを外した状態を示す）
【図６】第１突出部の断面図
【図７】蓋部材の断面図（図１中のＢ−Ｂ線断面図）
【図８】図７の一部を拡大した図
【図９】鉛蓄電池の斜視図（取っ手を引き出した状態を示す）
【図１０】本発明の実施形態２に係る鉛蓄電池の斜視図
【図１１】蓋部材の断面図（図１０中のＢ−Ｂ線断面図）
【図１２】蓋部材の拡大図（取っ手を引き出した状態を示す）
【発明を実施するための形態】
【０００８】
（本実施形態の概要）
初めに、本実施形態の蓄電デバイスの概要について説明する。本蓄電デバイスは、一対の電極部材と、前記一対の電極部材を収容する電槽と、前記一対の電極部材に対して接続される一対の端子部を有し、前記電槽を封口する蓋部材と、紐状の取っ手と、を備え、前記蓋部材は、前記一対の端子部間に設けられ、前記端子部よりも高さ方向で突出する第１突出部を有し、前記第１突出部の内部に、前記取っ手を収納する収納部を形成した。
【０００９】
この構成では、第１突出部が一対の端子部よりも高さ方向で突出することで、例えば、金属バーが端子部上面に接触して一対の端子部が短絡するのを防止することができる。また、第１突出部は、蓋部材から突出しているので、電極部材の大きさに影響をせず、取っ手を収納することができる。したがって、蓄電デバイスの性能を維持しつつ、取っ手を収納することができる。
【００１０】
本蓄電デバイスでは、前記第１突出部は、前記高さ方向に加えて、前記一対の端子部の並び方向に直交する方向でも、前記端子部より突出する。この構成では、第１突出部が、高さ方向に加え、一対の端子部の並び方向に直交する方向でも、一対の端子部より突出することで、例えば、金属バーが端子部側面に接触して一対の端子部が短絡するのを防止することができる。
【００１１】
本蓄電デバイスでは、前記蓋部材は、前記電極部材の収容空間と前記取っ手の前記収納部とを仕切る仕切壁を有する。この構成では、電解液の付着による取っ手の劣化を抑制できる。
【００１２】
本蓄電デバイスでは、前記収納部内には、前記取っ手の一端が固定され、前記取っ手を巻き取り可能な巻き取り軸が設けられている。この構成では、取っ手を自動的に巻き取ることが出来る。
【００１３】
本蓄電デバイスでは、前記蓋部材は、前記第１突出部と同じ高さの上面を有し、前記取っ手の他端が固定された第２突出部をさらに備え、前記第１及び前記第２突出部の上面には、前記取っ手がそれぞれ引き出された第１及び第２挿通孔と、前記第１挿通孔から前記第２挿通孔まで延在する溝が形成されている。この構成では、第１突出部内に巻き取られず、露出している取っ手を溝に収容して、取っ手全体を蓋部材の外形寸法の範囲内に収めることが可能である。
【００１４】
本蓄電デバイスでは、前記第１挿通孔及び前記第２挿通孔は、前記一対の端子部の並び方向と交差する方向に沿って配置されている。この構成では、１本の取っ手で蓄電デバイスをバランスよく持ち上げて運搬できる。
【００１５】
＜実施形態１＞
実施形態１を図１ないし図９によって説明する。
１．鉛蓄電池１０の構造
鉛蓄電池（本発明の「蓄電デバイス」の一例）１０は、自動車などの車両用であり、例えば、車両のエンジンルーム内に設置され車両に電力を供給する。鉛蓄電池１０は、図１から図４に示すように、電槽２０と、極板群３０と、一対の端子部６０Ｐ、６０Ｎを有する蓋部材５０と、取っ手１００を備える。尚、以下の説明において、端子部６０Ｐ、６０Ｎの並び方向をＸ方向とし、端子部６０Ｐ、６０Ｎの並び方向に対して直交する方向（電槽２０の前後方向）をＺ方向とする。そして、端子部６０Ｐ、６０Ｎが設けられた側を「前側」、その反対側を「後側」とする。また、端子部６０Ｐ、６０Ｎの高さ方向（軸方向）をＹ方向とする。
【００１６】
電槽２０は合成樹脂製である。電槽２０は４枚の外壁２１Ａ〜２１Ｄと底壁２２を有し、上面が開放した箱型をなす。電槽２０の内部は、図３に示すように隔壁２３により複数のセル室２５に仕切られている。セル室２５は、電槽２０の横幅方向（図３のＸ方向）に６室設けられており、各セル室２５には、流動可能な電解液と共に極板群３０が配置されている。
【００１７】
極板群３０は、図４に示すように、正極板３０Ｐと、負極板３０Ｎと、両極板３０Ｐ、３０Ｎを仕切るセパレータ３０Ｃとから構成されている。各極板３０Ｐ、３０Ｎは、格子体に活物質が充填されて構成されており、上部には耳部３１Ｐ、３１Ｎが設けられている。耳部３１Ｐ、３１Ｎは、ストラップ３２Ｐ、３２Ｎを介して、同じ極性の極板３０Ｐ、３０Ｎを各セル室２５内にて連結するために設けられている。尚、正極板３０Ｐ、負極板３０Ｎが、本発明の「一対の電極部材」の一例である。
【００１８】
ストラップ３２Ｐ、３２Ｎは、例えばＸ方向に長い板状であり、各セル室ごとに正極用と負極用の２組が設けられている。各ストラップ３２は、図４に示すように、極板群３０の上方に位置している。正極用のストラップ３２Ｐは、耳部３１Ｐを介して極板群３０の正極板３０Ｐを連結し、負極用のストラップ３２Ｎは、耳部３１Ｎを介して極板群３０の負極板３０Ｎを連結する構造となっている。
【００１９】
蓋部材５０は合成樹脂製であって、電槽２０の上面を封口する基部５１と、基部５１の外周縁に沿って形成された外周壁５７とを備える。外周壁５７は、基部５１の外周縁から下向きに延びている。
【００２０】
図１に示すように、基部５１の前端両側には、正極側の端子部６０Ｐと、負極側の端子部６０Ｎが設けられている。正極側の端子部６０Ｐと、負極側の端子部６０Ｎの構造は、同一であるため、以下、負極側の端子部６０Ｎを例にとって構造を説明する。
【００２１】
図４に示すように、負極側の端子部６０Ｎは、ブッシング６１と、極柱６５とを含む。ブッシング６１は鉛合金等の金属製であり中空の円筒状をなす。ブッシング６１は、図４に示すように、蓋部材５０の基部５１に対して一体形成された筒型の装着部５３を貫通しており、上半分が基部５１の上面から突出している。ブッシング６１のうち、基部５１の上面から露出する上半部は端子接続部であり、ハーネス端子などの接続端子（図略）が組み付けされる。
【００２２】
尚、蓋部材５０はブッシング６１をインサートした金型に樹脂を流して一体成形することから、装着部５３はブッシング６１と一体化され、ブッシング６１の下部外周を隙間なく覆う構造となっている。
【００２３】
極柱６５は鉛合金等の金属製であり、円柱形状をしている。極柱６５は、ブッシング６１の内側に下方より挿入されている。極柱６５のうち、上端部６５Ａはブッシング６１に対して溶接により接合され、基端部６５Ｂは、極板群３０のストラップ３２Ｎに接合されている。
【００２４】
また、図１に示すように、基部５１上には、第１突出部７０と、第２突出部９０が設けられている。第１突出部７０は、蓋部材５０の前側中央に設けられており、一対の端子部６０Ｐ、６０Ｎとの関係では、一対の端子部６０Ｐ、６０Ｎの間に設けられている。
【００２５】
第１突出部７０は、基部５１から上方に突出しており、概ね台状である。第１突出部７０は、図４に示すように、一対の端子部６０Ｐ、６０Ｎとの関係では、一対の端子部６０Ｐ、６０Ｎよりも高さ方向（Ｙ方向）で突出している。このようにすることで、例えば、金属バーなどが電池上部に置かれたとしても、金属バーが、端子部６０Ｐ、６０Ｎの上面に同時に接触することがないので、一対の端子部６０Ｐ、６０Ｎが短絡するのを防止することができる。
【００２６】
また、第１突出部７０は、高さ方向に加えて、前後方向（Ｚ方向）でも、一対の端子部６０Ｐ、６０Ｎより突出している。すなわち、図４に示すように、前方と後方の両方向について、一対の端子部６０Ｐ、６０Ｎより突出している。このようにすることで、例えば、金属バーが、端子部６０Ｐ、６０Ｎの側面に同時に接触することがないので、一対の端子部６０Ｐ、６０Ｎが短絡するのを防止することができる。
【００２７】
第２突出部９０は蓋部材５０の後側の概ね全体に形成されている。第２突出部９０は、第１突出部７０と同様、基部５１から上方に突出しており、概ね台状である。第２突出部９０の上面は、第１突出部７０の上面と同じ高さであり、一対の端子部６０Ｐ、６０Ｎよりも高さ方向（Ｙ方向）で突出している。
【００２８】
取っ手１００は、幅が数センチ程度の紐体であり、例えば合成繊維からなる。取っ手１００は、図１に示すように、蓋部材５０の上面中央部に取り付けられている。具体的に説明すると、図５に示すように、第１突出部７０は、上面壁が着脱可能なカバー７１になっている。第１突出部７０は、前記カバー７１と、基部５１から立ち上がる４つの外周壁７５とから構成されており、内部に取っ手１００の一部を収納する収納部７８を形成している。
【００２９】
また、蓋部材５０には、第１突出部７０に対応して仕切壁７７が設けられている。仕切壁７７は、第１突出部７０の底面部に設けられている。仕切壁７７は、電槽２０内における正極板３０Ｐや負極板３０Ｎの収容空間と収納部７８とを仕切っており、電槽２０内の電解液が収納部７８内に入り込むことを防いでいる。また、仕切壁７７は基部５１と同じ高さに設けられており、電槽２０の内部空間に影響のない位置に設けられている。一方、第２突出部９０側には、仕切壁は設けられておらず、内部空間が電槽２０と連通している。
【００３０】
収納部７８には、巻き取り軸８０が設けられている。巻き取り軸８０は、取っ手１００を巻き取る機能を果たし、例えば、図６〜図８に示すように、ヒンジ軸８１と、リール８５と、ばね８７とを備えている。
【００３１】
リール８５は、筒型をしていて、ヒンジ軸８１の外周側に、ベアリング８３を介して回転可能に取り付けられている。ばね８７は、ヒンジ軸８１とリール８５との間のスペースに配置されている。ばね８７は、渦巻き状のぜんまいばねである。ばね８７は、一端をヒンジ軸８１に固定し、他端をリール８５に固定しており、リール８５を巻き取り方向に付勢する。
【００３２】
そして、図５に示すように、収納部７８を閉じるカバー７１には、第１挿通孔７２と、第１収容溝７４が設けられている。第１挿通孔７２は、カバー７１を貫通しており、カバー７１の前側中央部に形成されている。第１収容溝７４は、第１挿通孔７２を始端として後方に向かって真っ直ぐに延びている。第１収容溝７４は、収納部７８から引き出された取っ手１００を収容する溝であり、溝幅は取っ手１００の幅寸法に等しく、溝深さは取っ手１００の厚みと同じか、それ以上である。
【００３３】
第２突出部９０の上面壁には、第２収容溝９４と、第２挿通孔９２が形成されている。
第２収容溝９４は、第１収容溝７４と連続しており、第２突出部９０の前端から蓋部材５０の後方に向かって真っ直ぐに延びている。
【００３４】
第２収容溝９４の終端は、概ね、第２突出部９０の後端に達している。第２収容溝９４は、第１収容溝７４と同様、収納部７８から引き出された取っ手１００を収容する溝であり、溝幅は取っ手１００の幅寸法に等しく、溝深さは、取っ手１００の厚みと同じか、それ以上である。この第２収容溝９４は、第１突出部７０の上面に形成された第１収容溝７４と共に、第１突出部７０の上面に形成された第１挿通孔７２から第２突出部９０の上面に形成された第２挿通孔９２まで延在する溝を形成している。
【００３５】
第２挿通孔９２は、第２収容溝９４の終端部に形成されている。図５に示すように、第２挿通孔９２と第１挿通孔７２は、前後方向（Ｚ方向）に配置されており、２孔７２、９２の配置が一対の端子部６０Ｐ、６０Ｎの並び方向（Ｘ方向）に対して直交する関係になっている。第２挿通孔９２は、図７に示すように、第２突出部９０の後部に形成された軸収容部９１に連通している。軸収容部９１は、第２突出部９０の後面壁を内側に凹ませて形成されている。軸収容部９１は後方（図７では左側）に開口しており、その内部には、固定軸９３が設けられている。
【００３６】
そして、図７に示すように、取っ手１００の先端（他端）は、第２挿通孔９２を通って軸収容部９１の内側に通されており、固定軸９３に固定されている。一方、取っ手１００の基端（一端）は、カバー７１の第１挿通孔７２を通って、収納部７８の内部に通されており、リール８５に固定されている（図８参照）。そして、リール８５が、取っ手１００を弛みがない状態に巻き取るため、図１に示すように、収納部７８から引き出された取っ手１００の先端側は、張った状態となって、第１収容溝７４と第２収容溝９４に収まる。
【００３７】
リール８５に巻き取られた取っ手１００は、収納部７８から引き出し可能であるため、図９に示すように、取っ手１００をリール８５から引き出して利用することで、鉛蓄電池１０が持ち運び易くなる。
【００３８】
以上説明したように、鉛蓄電池１０は、第１突出部７０が一対の端子部６０Ｐ、６０Ｎよりも高さ方向（Ｙ方向）で突出している。そのため、例えば、金属バーなどが電池上部に置かれたとしても、金属バーが、端子部６０Ｐ、６０Ｎの上面に同時に接触することがないので、一対の端子部６０Ｐ、６０Ｎが短絡するのを防止することができる。
【００３９】
また、第１突出部７０は、電槽２０を封口する蓋部材５０の基部５１から高さ方向に突出して形成されており、電槽上面より上側に位置している。すなわち、第１突出部７０の内部空間は、電槽２０内における正極板３０Ｐや負極板３０Ｎの収容空間とは独立した空間である。本鉛蓄電池１０では、そうした正極板３０Ｐや負極板３０Ｎの収容空間とは独立した空間である第１突出部７０の内部空間を利用して、取っ手１００を収納するので、正極板３０Ｐや負極板３０Ｎの大きさは維持しつつ、取っ手１００を収納できる。従って、鉛蓄電池１０の電池性能を維持しつつ、取っ手１００を収納することができる。
【００４０】
また、蓋部材５０は、第１突出部７０に対応して仕切壁７７を設けており、電槽２０内の電解液が収納部７８内に入り込むことを防いでいる。そのため、巻き取り軸８０や取っ手１００に電解液が付着して劣化するのを防止できる。
【００４１】
また、鉛蓄電池１０は、取っ手１００の先端側が、収納部７８から常に引き出されているので、取っ手１００が掴みやすく扱いやすい。加えて、露出している取っ手１００を、第１突出部７０と第２突出部９０の上面に形成した収容溝７４、９４に収容する構造になっている。そのため、取っ手１００の全体を、蓋部材５０の外形寸法の範囲内に収めることが可能である。
【００４２】
また特に、車両用の鉛蓄電池１０は、エンジンルーム内などの決められた小さなスペースに設置されることから、取っ手１００を配置するスペースを外に設けることが出来ない場合が多いが、本構成では、電池の外形寸内に取っ手１００の全体を収納することが出来るため、好適である。
【００４３】
また、鉛蓄電池１０では、収納部７８に設けた巻き取り軸８０が、取っ手１００を自動的に巻き取るので、使用後、取っ手１００を巻き取る手間が省ける。
【００４４】
また、鉛蓄電池１０は、図５に示すように、第１挿通孔７２と第２挿通孔９２を前後方向（Ｚ方向）に配置しており、２孔７２、９２の配置が一対の端子部６０Ｐ、６０Ｎの並び方向（Ｘ方向）に対して直交する。このようにすることで、取っ手両側の重量バランスが取れるので、１本の取っ手１００で、鉛蓄電池１０をバランスよく持ち上げて運搬できる。
【００４５】
＜実施形態２＞
実施形態２を図１０ないし図１２によって説明する。
実施形態２の鉛蓄電池２００は、実施形態１の鉛蓄電池１０に対して、取っ手１００の収納構造を一部変更している。尚、実施形態１の鉛蓄電池１０と同じ構造の部品は、同じ符号を付して説明を省略する。
【００４６】
実施形態２の鉛蓄電池２００は、電槽２０の上面を封口する蓋部材２５０を備えている。蓋部材２５０は、基部２５１の上面から突出する第１突出部２７０と、第２突出部２９０とを備えている。第１突出部２７０は、基部２５１の前端両側に形成された一対の端子部６０Ｐ、６０Ｎの間に位置しており、一対の端子部６０Ｐ、６０Ｎよりも高さ方向（Ｙ方向）で突出している。
【００４７】
第１突出部２７０は、上面壁２７１と、基部２５１から立ち上がる外周壁２７２とから構成されており、内部に取っ手１００の一部を収納する収納部２７８を形成している。また、蓋部材２５０には、蓋部材５０と同様、第１突出部２７０に対応して仕切壁２７７が設けられている。仕切壁２７７は、第１突出部２７０の底面部に設けられており、電槽２０内における正極板３０Ｐや負極板３０Ｎの収容空間と収納部２７８とを仕切っている。
そして、前面側の外周壁２７２には、内方に凹む軸収容部２７３が形成されている。軸収容部２７３には、固定軸２７４が設けられている。取っ手１００の基端は、収納部２７８から挿通孔２７３Ａを通じて軸収容部２７３に通され、固定軸２７４に固定されている。
【００４８】
第２突出部２９０側の構造は、実施形態１の第２突出部９０の構造と同じであり、上面壁に、第２収容溝２９４と、挿通孔２９２を設けている。挿通孔２９２は、第２突出部２９０の後部に形成された軸収容部２９１に連通している。軸収容部２９１には、固定軸２９３が設けられている。取っ手１００の先端は、挿通孔２９２を通って軸収容部２９１の内側に通されており、固定軸２９３に固定されている。
【００４９】
実施形態２の収納部２７８は、取っ手１００を巻き取る機構を備えておらず、図１１に示すように、取っ手１００の一部を折り返した状態で収納するようになっている。また、第１突出部２７０の上面壁２７１は、前面側の外周壁２７２の上端に形成されたヒンジＨを中心に開閉操作可能なカバーになっている。そのため、図１２に示すように、カバー２７１を開けることで、収納部２７８から取っ手１００を引き出すことが出来る。尚、カバー２７１の先端中央部には、スリット２７１Ａが形成されており、カバー２７１を閉じた時に、カバー先端が取っ手１００を挟まないようになっている。
【００５０】
実施形態２の鉛蓄電池２００も、実施形態１の鉛蓄電池１０と同様に、第１突出部２７０の内部に、取っ手１００の一部を収納する収納部２７８を設けている。そのため、鉛蓄電池２００の電池性能を維持しつつ、取っ手１００を収納することができる。
【００５１】
加えて、実施形態２の鉛蓄電池２００も、実施形態１の鉛蓄電池１０と同様に、第２突出部２９０の上面に形成した収容溝２９４に、収納部２７８から引き出した取っ手１００を収容する構造になっている。そのため、取っ手１００の全体を、蓋部材５０の外形寸法の範囲内に収めることが可能である。
【００５２】
＜他の実施形態＞
本発明は上記記述及び図面によって説明した実施形態に限定されるものではなく、例えば次のような実施形態も本発明の技術的範囲に含まれる。
【００５３】
（１）実施形態１、２では、蓄電デバイスの一例として、鉛蓄電池１０、２００を例示した。本発明は、鉛蓄電池１０に限らず、リチウムイオン二次電池や電気二重層キャパシタおよびこれらの複合体（典型的にはリチウムイオンキャパシタ）等に代表される蓄電デバイスに適用することができる。
【００５４】
（２）実施形態１、２では、取っ手１００の一例として合成繊維の紐体を例示したが、材質は特に制約はなく、綿布等の紐体であってもよい。
【００５５】
（３）実施形態１では、仕切壁７７を基部５１と同じ高さとした。仕切壁７７は、電槽上面よりも上側になど、電槽２０の内部空間に影響のない位置に設けられていればよく、基部５１よりも上側に形成されていてもよい。
【００５６】
（４）実施形態１、２では、取っ手１００の先端を固定軸９３、２９３に固定しており、収納部７８、２７８には、取っ手１００の一部だけを収納する構造とした。取っ手１００の先端は、必ずしも、蓋部材に対して常時固定されている必要はなく、未使用時には、先端を外して、取っ手１００の全体を収納部７８、２７８に収納してもよい。尚、この場合、蓋部材に対してフックを設けておき、使用時には、そのフックに、収納部７８、２７８から引き出した取っ手１００の先端を係止させるようにすればよい。
【００５７】
（５）実施形態１では、収納部７８の上面を閉じるカバー７１を外周壁７５に対して着脱可能としたが、カバー７１を、溶着等により外周壁７５に固定する構造にしてもよい。
【００５８】
（６）実施形態１、２では、巻き取り軸８０の一例として、ばね８７を、ヒンジ軸８１とリール８５の間に配置した構造を例示した。巻き取り軸８０は、回転可能に支持されたリール８５を、ばね８７を利用して巻き取り方向に付勢する構造であればよく、その構造は、実施形態の例に限定されない。例えば、ばね８７は、リール８５の外側に設けられていてもよい。
【００５９】
（７）実施形態１では、１挿通孔７２と第２挿通孔９２を前後方向（Ｚ方向）に配置した。すなわち、２孔７２、９２の配置を、一対の端子部６０Ｐ、６０Ｎの並び方向（Ｘ方向）に対して直交する関係にした。２孔７２、９２の配置は、一対の端子部６０Ｐ、６０Ｎの並び方向（Ｘ方向）に対して交差する関係であればよく、例えば、Ｚ方向に対して角度が付いていてもよい。
【符号の説明】
【００６０】
１０...鉛蓄電池（本発明の「蓄電デバイス」の一例）
２０...電槽
３０Ｐ...正極板（本発明の「電極部材」の一例）
３０Ｎ...負極板（本発明の「電極部材」の一例）
５０...蓋部材
６０Ｐ、６０Ｎ...端子部
７０...第１突出部
７２...第１挿通孔
７４...第１収容溝
７８...収納部
７７...仕切壁
８０...巻き取り軸
９０...第２突出部
９２...第２挿通孔
９３...固定軸
９４...第２収容溝
１００...取っ手
【図１】
2015220202.tif 000003
【図２】
2015220202.tif 000004
【図３】
2015220202.tif 000005
【図４】
2015220202.tif 000006
【図５】
2015220202.tif 000007
【図６】
2015220202.tif 000008
【図７】
2015220202.tif 000009
【図８】
2015220202.tif 000010
【図９】
2015220202.tif 000011
【図１０】
2015220202.tif 000012
【図１１】
2015220202.tif 000013
【図１２】
2015220202.tif 000014